(57)【特許請求の範囲】
【請求項１】
表面に太陽電池セルを必要枚数配列して屋外で使用できる構成にパッケージ化して成る太陽電池モジュールの外周縁をモジュール支持材で支持させ、同モジュール支持材へ、温室の骨格外周面を覆う被覆シートの留め付部を備えた太陽電池モジュール専用のシート留め材を一体的に結合して太陽電池アレイが構成され、
前記太陽電池モジュールに専用のシート留め材が、温室の骨格を構成する骨材へ連結具で固定され、
前記温室の骨格を構成する骨材へ別途固定された本設のシート留め材、及び太陽電池モジュール専用のシート留め材それぞれの被覆シート留め付部を利用して、温室の骨格外周面を覆う被覆シートが張り付けられ、
前記太陽電池モジュールの裏面へ導き出された端子ケーブルを接続箱からパワーコンディショナー、分電盤などを通じて電力系統との接続が行われている構成を特徴とする、温室を利用する太陽電池アレイの設置構造。
【請求項２】
太陽電池モジュール専用のシート留め材は、太陽電池アレイの外周部を支持したモジュール支持材の取り付け位置よりも外方側位置に、被覆シート留め付け部が、横断面を温室の骨格外周面の外方に向かって幅狭となる形状の溝として形成されており、
前記被覆シート留め付部よりも太陽電池モジュール寄りの位置に、モジュール支持材の取り付け部が形成されていることを特徴とする、請求項１に記載した温室を利用する太陽電池アレイの設置構造。
【請求項３】
太陽電池モジュール専用のシート留め材は、被覆シート留め付部よりも太陽電池モジュール寄りの位置に、モジュール支持材の取り付け部が一定の段差で下がった段差面として形成され、同段差面の下縁部から太陽電池モジュールの内周側に向かって水受け面板部が一連に形成され、更に前記水受け面板部の内縁に沿って導水溝が形成されて成り、
当該太陽電池モジュール専用のシート留め材は、温室の骨格外周の流水勾配と同方向に配置され、前記導水溝部の末端部に、浸入水の流れを受け取る排水ソケットが接続され、同排水ソケットの排水継手に接続された排水管が所定の排水場所に導かれること、
及び前記モジュール支持材の外側面と、前記段差面との隙間に、コーキング材等による止水処理が行われていることを特徴とする、請求項１又は２に記載した温室を利用する太陽電池アレイの設置構造。
【請求項４】
太陽電池モジュール専用のシート留め材は、被覆シート留め付け部よりも太陽電池モジュール寄りの位置にモジュール支持材の取り付け部が一定の段差で下がった段差面として形成され、同段差面の下縁部から太陽電池モジュールの内周側に向かって水受け面板部が一連に形成されており、
前記段差面と水受け面板部を利用して、モジュール支持材の下部が当該太陽電池モジュール専用のシート留め材へ固定化処理されていることを特徴とする、請求項１又は２に記載した温室を利用する太陽電池アレイの設置構造。
【請求項５】
太陽電池モジュール専用のシート留め材は、太陽電池モジュールの外周位置を支持したモジュール支持材の取り付け部として、一定の段差で下がった段差面、及び同段差面の下縁部から太陽電池アレイの内周方向に向けて水受け面板部が一連に形成されており、
この太陽電池モジュール専用のシート留め材は、温室の骨格を形成する骨材に対し直交する向きの配置とされ、
モジュール支持材は、その垂直壁の下端に形成された載置板部が、前記太陽電池モジュール専用のシート留め材の水受け面板部上に載置され、同載置板部と前記水受け面板部とがボルトとナットにより一体的に結合されていることを特徴とする、請求項４に記載した温室を利用する太陽電池アレイの設置構造。
【請求項６】
太陽電池モジュール専用のシート留め材は、温室の骨格外周の流水勾配を形成する骨材に対し直交する向きの配置とされ、
当該太陽電池モジュール専用のシート留め材の前記被覆シート留め付け部は、その横断面形状が、温室の骨格外周面の外方に向かって開口部が幅狭となる形状の溝に形成され、
両者を結合する連結具の結具本体は、温室の骨格を形成する骨材を跨ぐコ字形状とされ、その両先端部が、前記被覆シート留め付け部の横断面における側壁の両外面を挟み持つ構成とされ、前記骨材を跨いだ部位よりも背後側位置に前記骨材と直交する方向へ楔を貫通させる楔孔が設けられており、
前記連結具本体の楔孔へ差し通す楔とで連結具が構成され、
前記楔孔へ差し通した楔による迫り作用でシート留め材が前記骨材と連結される構成を特徴とする、請求項４又は５に記載した温室を利用する太陽電池アレイの設置構造。
【請求項７】
温室の骨格を構成する骨材へ固定された本設のシート留め材、及び太陽電池モジュール専用のシート留め材のそれぞれに形成された被覆シート留め付部をそれぞれ利用して、温室の骨格外周面及び太陽電池モジュールの外面を共通に覆う被覆シートが張り付けられ、同被覆シートのうち、太陽電池モジュールの上面を覆う部分のみ切除して、太陽電池モジュールが露出されることを特徴とする、請求項１に記載した温室を利用する太陽電池アレイの設置構造。
【請求項８】
太陽電池モジュール専用のシート留め材は、太陽電池モジュールの外周部を支持するモジュール支持材と一体化した構造とされていることを特徴とする、請求項１〜５のいずれか一に記載した、温室を利用する太陽電池アレイの設置構造。
【発明の詳細な説明】
【技術分野】
【０００１】
この発明は、温室、更に具体的に言えば、主に小径の鋼管等を骨材に用い、これにシート留め材を組み付けて骨組を作り、その外周面へ透光性のプラスチックシート（以下、単にシートという。）を張り付けて構築された簡易構造温室の主に屋根部分へ、太陽電池アレイ（以下、単にアレイと略す場合がある。）を設置して太陽光発電を実施することを可能ならしめ、もって同アレイにより発電した電力を電力会社へ売ったり（売電）、或いは自己の電力需要に用いることにより、電力需要の安定化及び電力料金の低減化に寄与せしめ、もって温室の機能及び利用価値を高めることに有効、有用な、温室を利用する太陽電池アレイの設置構造の技術分野に属する。
【背景技術】
【０００２】
温室は、日当たりの良い敷地を選んで構築し設置される。したがって、太陽電池アレイによる太陽光発電に好適な設置場所、適用対象と考えられる。しかし、その一方で、温室がいわゆるビニールハウスと呼ばれる簡易構造の温室である場合、その骨組み構造は、軽量なパイプとシート留め材とを主要な骨格構造材とし、同骨格の外周面にビニールシートその他の透光性プラスチックシートを張り付けて被覆した程度の簡易構造であるため、このような新設又は既存の温室へいざ太陽電池アレイを設置しようとすると、設置作業の実現性、或いは設置構造の有用性と安定性、及び雨仕舞い処理その他の実際面で、やっかいな技術的困難が多々生まれる。
因みに、温室を利用した太陽光発電システム及び太陽電池アレイの設置構造に関する先行技術を縦覧すると、およそ下記の数件が散見される程度にすぎない。
【先行技術文献】
【特許文献】
【０００３】
【特許文献１】特開２０１０−２１３６８４号公報
【特許文献２】特開２０１１−１５６７６号公報
【特許文献３】特開２０１１−２３８７８５号公報
【特許文献４】特開２０１３−１１８８４２号公報
【発明の概要】
【発明が解決しようとする課題】
【０００４】
上述のとおり、既往の各先行技術も、温室の骨組み構造を利用して太陽電池アレイを設置し太陽光発電を行う構成である点では共通している。
しかし、上記特許文献１〜３に開示された発明の場合は、具体的に温室のいかなる構造部をどのように利用してアレイを設置するかの具体性に乏しく、当業者による実施の可能性、容易性に種々な問題点が有ると認められる。
次に、上記特許文献４に開示された発明の場合は、温室の骨組み構造に対するアレイの設置手段が、一見、具体化しているように見える。しかし、例えば図７〜図９に例示された遮光シートの実施例を検討すると、太陽電池モジュールが透明シートの長手方向に沿って取り付けられた構成で、温室の幅方向両端に位置する巻き取りローラで巻き取り可能に構成され、ハウスの天井面及び側壁面に展張される、と説明している。
しかし、同透明シートの幅方向両側縁の雨仕舞い処理をいかに構成するか、という温室にとって本質的、且つ実際上きわめて重要な構造部分について、構成の開示と説明が欠落している。また、太陽電池モジュールを取り付けた遮光シート部分を、太陽の日射しの如何に応じて巻き取り移動させるという技術的思想は、太陽電池セル及びモジュールの構成と機能を考慮すると、首肯しかねるし、操作性の点でも実際上あまりに煩雑で実用性に乏しい、と言わねばならない。
【０００５】
本発明の目的は、軽量な鋼管材を骨材に用い、これにシート留め材を組み付けて温室の骨格を作り、その外周面へ前記シート留め材を利用して透光性のプラスチックシートを張り付けて構成した簡易温室の構造を前提として、同温室の骨組み構造へ太陽電池アレイを設置する適用性と実用性及び容易性に富み、しかも同温室で栽培する農作物等に必要な日当たりの良さ（必要日射量）を損なわない限度の遮光度に設置することに適し、もとよりシート縁辺間の雨仕舞い処理も必要十分に行え、農作物等の栽培と、太陽光発電の両面に優れた性能を発揮する構成に改良、工夫した、温室を利用する太陽電池アレイの設置構造を提供することである。
【課題を解決するための手段】
【０００６】
上記課題を解決する手段として、請求項１に記載した発明に係る、温室を利用する太陽電池アレイの設置構造は、
表面に太陽電池セル１０を必要枚数配列して屋外で使用できる構成にパッケージ化して成る太陽電池モジュール１００の外周縁をモジュール支持材１１で支持させ、同モジュール支持材１１へ、温室の骨格外周面を覆う被覆シート３の留め付部１２ａを備えた太陽電池モジュール専用のシート留め材１２Ａ、１２Ｂを一体的に結合して太陽電池アレイ１が構成され、
前記太陽電池モジュール１００に専用のシート留め材１２Ａ、１２Ｂが、温室の骨格を構成する骨材２０へ連結具１５で固定され、
前記温室の骨格を構成する骨材２０へ別途固定された本設のシート留め材３０、及び太陽電池モジュール専用のシート留め材１２Ａ、１２Ｂそれぞれの被覆シート留め付部１２ａを利用して、温室の骨格外周面を覆う被覆シート３が張り付けられ、
前記太陽電池モジュール１００の裏面へ導き出された端子ケーブル１１０を接続箱１２０からパワーコンディショナー１３０、分電盤１４０などを通じて電力系統との接続が行われている構成を特徴とする。
【０００７】
請求項２に記載した発明は、請求項１に記載した、温室を利用する太陽電池アレイの設置構造において、
上記太陽電池モジュール専用のシート留め材１２Ａ、１２Ｂは、太陽電池アレイ１の外周部を支持したモジュール支持材１１の取り付け位置よりも外方側位置に、被覆シート留め付部１２ａが、横断面を温室の骨格外周面の外方に向かって幅狭となる形状の溝として形成されており、
前記被覆シート留め付部１２ａよりも太陽電池モジュール１００寄りの位置に、モジュール支持材１１の取り付け部が形成されていることを特徴とする。
【０００８】
請求項３に記載した発明は、請求項１又は２に記載した、温室を利用する太陽電池アレイの設置構造において、
太陽電池モジュール専用のシート留め材１２Ｂは、被覆シート留め付部１２ａよりも太陽電池モジュール１００寄りの位置に、モジュール支持材１１の取り付け部が一定の段差で下がった段差面１２ｂとして形成され、同段差面１２ｂの下縁部から太陽電池モジュール１００の内周側に向かって水受け面板部１２ｃが一連に形成され、更に前記水受け面板部１２ｃの内縁に沿って導水溝部１２ｄが形成されて成り、
当該太陽電池モジュール専用のシート留め材１２Ａは、温室の骨格外周の流水勾配と同方向に配置され、前記導水溝部１２ｄの末端部に、浸入水の流れを受け取る排水ソケット４０が接続され、同排水ソケット４０の排水継手４０ａに接続された排水管４１が所定の排水場所に導かれること、
及び前記モジュール支持材１１の外側面と、前記段差面１２ｂとの隙間に、コーキング材等による止水処理１３が行われていることを特徴とする。
【０００９】
請求項４に記載した発明は、請求項１又は２に記載した、温室を利用する太陽電池アレイの設置構造において、
太陽電池モジュール専用のシート留め材１２Ａは、被覆シート留め付部１２ａよりも太陽電池モジュール１００寄りの位置に、モジュール支持材１１の取り付け部が、一定の段差で下がった段差面１２ｂとして形成され、同段差面１２ｂの下縁部から太陽電池モジュール１００の内周側に向かって水受け面板部１２ｃが一連に形成されており、            前記段差面１２ｂと水受け面板部１２ｃを利用して、モジュール支持材１１の下部が当該太陽電池モジュール専用のシート留め材１２Ｂへ固定化処理されていることを特徴とする。
【００１０】
請求項５に記載した発明は、請求項４に記載した、温室を利用する太陽電池アレイの設置構造において、
太陽電池モジュール専用のシート留め材１２Ａは、太陽電池モジュール１００の外周位置を支持したモジュール支持材１１の取り付け部として、一定の段差で下がった段差面１２ｂ、及び同段差面１２ｂの下縁部から太陽電池アレイ１の内周方向に向けて水受け面板部１２ｃが一連に形成されており、
この太陽電池モジュール専用のシート留め材１２Ａは、温室の骨格を形成する骨材２０に対し直交する向きの配置とされ、
モジュール支持材１１は、その垂直壁１１ｂの下端に形成された載置板部１１ｃが、前記太陽電池モジュール専用のシート留め材１２Ａの水受け面板部１２ｃ上に載置され、同載置板部１１ｃと前記水受け面板部１２ｃとがボルト５とナット５ａにより一体的に結合されていることを特徴とする。                
【００１１】
請求項６に記載した発明は、請求項４又は５に記載した、温室を利用する太陽電池アレイの設置構造において、
太陽電池モジュール専用のシート留め材１２Ａは、温室の骨格を形成する骨材２０に対し直交する向きの配置とされ、
当該太陽電池モジュール専用のシート留め材１２Ａの前記被覆シート留め付部１２ａは、その横断面形状が、温室の骨格外周面の外方に向かって開口部が幅狭となる形状の溝に形成され、
両者を結合する連結具１５の結具本体１５Ａは、温室の骨格を形成する骨材２０を跨ぐコ字形状とされ、その両先端部１５ａ、１５ａが、前記被覆シート留め付部１２ａの横断面に側壁の両外面を挟み持つ構成とされ、前記骨材２０を跨いだ部位よりも背後側位置に前記骨材２０と直交する方向へ楔１５Ｂを貫通させる楔孔１５ｂが設けられており、
前記連結具本体１５Ａの楔孔１５ｂへ差し通す楔１５Ｂとで連結具１５が構成され、
前記楔孔１５ｂへ差し通した楔１５Ｂによる迫り作用でシート留め材１２Ａが前記骨材２０と連結される構成を特徴とする。
【００１２】
請求項７に記載した発明は、請求項１に記載した、温室を利用する太陽電池アレイの設置構造において、
温室の骨格を構成する骨材２０へ固定された本設のシート留め材３０、及び太陽電池モジュール専用のシート留め材１２Ａ、１２Ｂのそれぞれに形成された被覆シート留め付部１２ａをそれぞれ利用して、温室の骨格外周面及び太陽電池モジュール１００の外面を共通に覆う被覆シート３が張り付けられ、同被覆シート３のうち、太陽電池モジュール１００の上面を覆う部分のみ切除して、太陽電池モジュール１００が露出されることを特徴とする。
【００１３】
請求項８に記載した発明は、請求項１〜５のいずれか一に記載した、温室を利用する太陽電池アレイの設置構造において、
太陽電池モジュール専用のシート留め材１２Ａ、１２Ｂは、太陽電池モジュール１００の外周部を支持するモジュール支持材１１と一体化した構造とされていることを特徴とする。
【発明の効果】
【００１４】
本発明による、温室を利用する太陽電池アレイの設置構造は、上面に太陽電池セル１０を必要枚数配列し屋外で使用できる構成にパッケージ化された太陽電池モジュール１００の外周縁（四周）をモジュール支持材１１で支持させ、同モジュール支持材１１へ太陽電池モジュール専用のシート留め材１２Ａ、１２Ｂを一体的に組み付けた構成として、設置施工用の太陽電池アレイ１が図２のように準備される。                                そして、上記太陽電池アレイ１を構成した太陽電池モジュール専用の一方のシート留め材１２Ａを、先行して構築された温室の骨格を形成する骨材２０に対し直交する配置として、温室外周面の所望位置へ、予め定められた設置予定の配置にしたがって位置を決め、連結具１５を用いて骨材２０とシート留め材１２Ａとを連結し固定する手法により、太陽電池アレイ１の設置施工を手際よく容易に行なうことができる。
太陽電池アレイ１の設置施工は、温室の骨格外周面に対し、比較的自由に位置を選択して簡単な作業で能率的に行える。
温室に対する太陽電池アレイ１の設置施工は、温室外周の水勾配を形成する流れ屋根部（いわゆる垂木方向の部分）はもとより、屋根頂部の天窓部、あるいは妻窓などへも、場所を選ばず、必要に応じて所望位置へ容易に設置できる。その設置に際し、温室への日射の遮蔽率を配慮し、温室内で栽培する作物の生育に支障を来さない配置及び遮蔽率を、いわば自由設計により決めて設置することができる。
【００１５】
太陽電池アレイ１の設置施工は、温室の骨格外周面を覆う被覆シート３の張り付け施工の工程に先行する工程として、例えば公知の楔式連結具１５を使用することで、能率的に行うことができる。温室の骨材２０に対し、太陽電池モジュール１００に専用のシート留め材１２Ａを、公知の楔式連結具１５で連結するので、作業法に戸惑うことなく、能率良く強固な構築ができる。解体、撤去の利便性、自在性にも優れている。
温室の骨格外周面を覆う被覆シート３の張り付け施工は、太陽電池アレイ１の設置施工の後の工程として行う。被覆シート３の張り付け施工は、周知の弾性な連続波形状の止め線４を用い、従来周知の止着手法で実施できる。よって、設置作業の平準化ができ、施工の能率を高められるほか、温室の気密精度（密閉度）を高めることにも寄与できる。
太陽電池モジュール１００の上面が被覆シート３の汚損により透明性が低下する懸念に対しては、被覆シート３のうち、太陽電池モジュール１００の上面を覆う部分３’のみを事前に、又は事後的に切除して対処することができる。
【００１６】
太陽電池アレイ１を温室屋根の流水勾配の方向に支持するシート留め材１２Ｂは、図３に示すように、被覆シート留め付部１２ａよりも太陽電池モジュール１００の方へ寄った位置に、モジュール支持材１１として、一定の段差で下がった段差面１２ｂと、及び同段差面１２ｂの下縁部から太陽電池モジュール１００の内周側に向かって延びる水受け面板部１２ｃとで構成され、更に前記水受け面板部１２ｃの内縁部に沿って導水溝部１２ｄが形成されているので、仮に太陽電池アレイ１の内部へ雨水が浸入しても、その浸入水は全て水受け面板部１２ｃで受け、導水溝部１２ｄに集めて適宜に排除できる。よって、水滴が温室内へポタ落ちする懸念は皆無である。
もとより、モジュール支持材１１の外面と、前記段差面１２ｂとの隙間には、コーキング材等による止水処理１３が施され、雨水の浸入は可及的に防止できる。
【００１７】
太陽電池モジュール専用のシート留め材１２Ａ、１２Ｂのうち、骨材２０と直交する向きに用いるシート留め材１２Ａは、図４に示した通り、太陽電池モジュール１００の外周位置を支持したモジュール支持材１１の取り付部が一定の段差で下がった段差面１２ｂとして形成され、更に同段差面１２ｂの下縁部から太陽電池モジュール１００の内周側に向けて水受け面板部１２ｃが形成されており、モジュール支持材１１の下底面板１１ｃを、前記水受け面板部１２ｃ上に載置して、両者をボルト５及びナット５ａにより強固に一体化結合できる。
ただし、請求項８に記載したように、予め太陽電池モジュール専用のシート留め材１２Ａ、１２Ｂとモジュール支持材１１とを一体化した構造に製作すると、上記したボルト及びナットにより強固に一体化結合する工程を省けて、一層好都合になる。
なお、太陽電池アレイ１を、図２のように平面的に見て、４隅位置で直角２方向に交わる上記２種のシート留め材１２Ａと１２Ｂ同士の結合は、具体的に図示することは省略したが、導水溝部１２ｄを有するシート留め材１２Ｂ（図３）の水受け面板部１２ｃを下位とし、他のシート留め材１２Ａの水受け面板部１２ｃを上位に重ね合わせた構成とすることで、両材はリベット留めその他の手段で強固に一体化できる。
その上で、図４のように太陽電池モジュール専用のシート留め材１２Ａを、連結具１５で骨材２０と連結すると、太陽電池アレイ１は温室の屋根外周部の所望位置へ簡単、確実に強固に取り付け設置することができる。勿論、逆に解体、撤去する作業も容易である。
【図面の簡単な説明】
【００１８】
【図１】本発明により温室を利用する太陽電池アレイの設置が実施された温室の外観を例示した斜視図である。
【図２】太陽電池アレイの平面及び設置態様を例示した平面図である。
【図３】図２中に指示したＩＩＩ−ＩＩＩ線矢視の断面図である。
【図４】図２中に指示したＩＶ−ＩＶ線矢視の断面図である。
【図５】太陽電池アレイの底面図及び電気系統を例示した説明図である。
【図６】太陽電池アレイの導水溝部と排水用ソケットの接続関係を例示した斜視図である。
【図７】Ａ図はシート留め材の導水溝部と排水用ソケットの接続状態を概念的に示した平面図、Ｂ図は同接続状態の底面図である。
【発明を実施するための形態】
【００１９】
基板表面に太陽電池セル１０を必要枚数配列して屋外で使用できる構成にパッケージ化して成る太陽電池モジュール１００の外周縁を、モジュール支持材１１で支持させ、同モジュール支持材１１へ、温室の骨格外周面を覆う被覆シート３の留め付部１２ａを備えた太陽電池モジュール専用のシート留め材１２Ａ、１２Ｂを一体的に結合して太陽電池アレイ１が構成される。
太陽電池アレイ１を構成する一方のシート留め材１２Ａは、温室の骨格を構成する骨材２０に対して直交する配置とし、連結具１５で強固に固定される（図４）。
他方のシート留め材１２Ｂは、温室の流水勾配と同方向に配置される。このシート留め材１２Ｂは、水受け面板部１２ｃの内縁部に沿って導水溝部１２ｄを備え、前記導水溝部１２ｄの末端部に、浸入水の流れを受け取る排水ソケット４０が接続される（図７）。
この排水ソケット４０の排水継手４０ａに接続された排水管４１が所定の排水場所に導かれる。また、前記モジュール支持材１１の外側面と、前記段差面１２ｂとの隙間には、コーキング材等による止水処理１３が行われる（図３）。
前記温室の骨格を構成する骨材２０へ固定された本設のシート留め材３０、及び太陽電池モジュール専用のシート留め材１２Ａ、１２Ｂの被覆シート留め付部１２ａをそれぞれ共通に利用して、温室の骨格外周面を覆う被覆シート３が張り付けられる（図１）。
太陽電池モジュール１００の裏面へ導き出された端子ケーブル１１０が、接続箱１２０、パワーコンディショナー１３０、及び分電盤１４０などを通じて電力系統との接続が行われる（図５）。
【実施例１】
【００２０】
この発明による、温室を利用する太陽電池アレイ１の設置構造は、図２に例示したように、先ず基板表面に必要枚数の太陽電池セル１０を整列状態に配列して配置し、上面をガラス板で被覆するなどして、屋外で使用できる構成にパッケージ化した太陽電池モジュール１００を用意する。そして、同太陽電池モジュール１００の外周縁（四周）に沿って、例えば図３に示したように、上端にモジュール受口１１ａを備えたモジュール支持材１１を配置して支持させる。
このモジュール支持材１１は、垂直壁１１ｂの下端に載置板部１１ｃが太陽電池モジュール１００の内周方向に向かって略水平に形成された一種の型材である。このモジュール支持材１１は、前記太陽電池モジュール専用のシート留め材１２Ｂに形成された水受け面板部１２ｃ上へ載置板部１１ｃが図３に示したように載置される。
【００２１】
即ち、上記太陽電池モジュール専用のシート留め材１２Ｂは、太陽電池モジュール１００の外周部をモジュール受け口１１ａに支持した前記モジュール支持材１１の取り付け位置よりも外方側の位置に、被覆シート留め付部１２ａが、図１に示す本設のシート留め材３０と同様に、横断面を温室の骨格外周面の外方に向かって幅狭となる蟻溝形状の溝として形成されている。但し、被覆シート留め付部１２ａの横断面形状は、前記蟻溝形状の限りではない。
因みに、上記蟻溝形状の被覆シート留め付部１２ａは、図１に示した、温室の棟方向に配置されて直交する配置の骨材（アーチパイプ）２０との交点を、公知の連結具で結合される本設のシート留め材３０のシート留め溝と共通する形状、寸法に形成されているのが好ましい。その意義は、後述する被覆シート３の留め付け作業の一元化を実現して作業性を良好にするためである。
【００２２】
上記太陽電池モジュール専用のシート留め材１２Ｂは、図３に示したように、上記被覆シート留め付部１２ａよりも太陽電池モジュール１００寄りの位置に、モジュール支持材１１の取り付け部が次のように形成されている。
すなわち、太陽電池モジュール１００の外周位置をモジュール受口１１ａで支持したモジュール支持材１１の取り付け部として、一定の段差で下がった段差面１２ｂが形成され、同段差面１２ｂの下縁部からは太陽電池モジュール１００の内周側に向かってほぼ水平な水受け面板部１２ｃが一連に形成されている。モジュール支持材１１は、その下端の載置板部１１ｃと水受け面板部１２ｃ上へ載せかけ、垂直壁部１１ｂを段差部１２ｂへ持たれかけさせて支持させる。
上記水受け面板部１２ｃに沿ってその内縁側位置に導水溝部１２ｄが形成され、この導水溝部１２ｄにより前記水受け面板部１２ｃで受け止めた浸入水を集めて外部へ導く構成とされている。
その故に、上記構成の太陽電池アレイ１における、この太陽電池モジュール専用のシート留め材１２Ｂは、上記水受け面板部１２ｃの働きを前提として、温室屋根における雨水の流れ勾配と同方向の向きに配置される。  
【００２３】
前記導水溝部１２ｄの下流端部には、図６及び図７に示したように、浸入水を受け入れる排水ソケット４０が接続される。つまり、排水ソケット４０の中央に位置する蟻溝部４０ｂを、前記導水溝部１２ｄの終端部外面へ嵌め込む要領で排水ソケット４０の接続が行われる。同排水ソケット４０の排水継手４０ａに排水管４１が接続され、この排水管４１を温室内外の所定位置に用意した排水場所と接続して浸入水による弊害の問題が解決される。
更に念の為、上記した水受け面板部１２ｃと導水溝部１２ｄとによる浸入水の排除機能を前提として、前記モジュール支持材１１の外側面と前記段差面１２ｂとの間に生ずる隙間には、コーキング材等による止水処理１３が行われる。
【００２４】
もう一方の太陽電池モジュール専用のシート留め材１２Ａは、図４に示した通り、上記シート留め材１２Ｂと同様に、被覆シート留め付部１２ａよりも太陽電池モジュール１００寄りの位置に、モジュール支持材１１の取り付け部が、一定の段差で下がった段差面１２ｂと、同段差面１２ｂの下縁部から太陽電池モジュール１００の内周側に向かってほぼ水平な水受け面板部１２ｃとが一連に、且つ強度が大きい二重折り構造に形成されている。
つまり、モジュール支持材１１の下端に形成された載置板１１ｃは、前記水受け面板部１２ｃの上に載置された上で、ボルト５及びナット５ａにより強固に一体化結合されるのである。
その上で更に、太陽電池アレイ１を図２のように平面的に見て、四隅位置で直角２方向に交わる上記２種のシート留め材１２Ａと１２Ｂ同士が一体的に結合処理される。
その手法としては、上記導水溝部１２ｄを有するシート留め材１２Ｂ（図３）の水受け面板部１２ｃを下位とし、当該シート留め材１２Ａの水受け面板部１２ｃを上位に重ね合わせた構成として、双方の面板１２ｃ同士はリベット留めその他の手段で強固に一体化結合される。
上述の構成であるから、図４に示したように、太陽電池モジュール専用のシート留め材１２Ａを、連結具１５で骨材２０へ連結することにより、太陽電池アレイ１は、温室の屋根外周部の所望位置へ簡単、確実に強固に取り付け設置することができる。勿論、逆に解体、撤去する作業も容易に可能である。
【００２５】
もっとも、請求項８に記載したように、太陽電池モジュール専用のシート留め材１２Ａ、１２Ｂを、太陽電池モジュール１００の外周部を支持するモジュール支持材１１と予め一体化した構造、例えばアルミニューム又はプラスチックの押し出し材等として製造しておくと、上記モジュール支持材１１の下端に載置板１１ｃを形成して、水受け面板部１２ｃ上へ、ボルト５及びナット５ａにより一体化結合する手数が省けて好都合となる。
【００２６】
次に、上記した連結具１５の構成は、既に知られているとおり、連結具本体１５Ａと楔１５Ｂとで構成されている。連結具本体１５Ａは、図４のとおり、温室の骨格を形成する骨材２０を跨ぐコ字形状とされ、切り欠き１５ｃにより形成された両先端部１５ａ、１５ａが、前記被覆シート留め付部１２ａの横断面形状における両外面を挟み持つ構成とされている。そして、同連結具本体１５Ａが前記骨材２０を跨いで、前記被覆シート留め付部１２ａの横断面における両外面を挟み持った姿勢で、前記骨材２０よりも背後側となる位置に、前記骨材２０と直交する方向に楔１５Ｂを貫通させる楔孔１５ｂが設けられている。
したがって、前記連結具本体１５Ａの楔孔１５ｂへ楔１５Ｂを差し通すと、楔１５Ｂによる迫り作用で、シート留め材１２Ａの被覆シート留め付部１２ａが前記骨材２０へ引き付けられて強固に連結、固定の目的が達成される。逆に、前記楔１５Ｂを楔孔１５ｂから引き抜くことにより、前記連結は簡単に解除できる構成である。
【００２７】
上記のようにして温室の骨格外周面に太陽電池アレイ１の設置が完了すると、図５に示したように、上記の各太陽電池モジュール１００の裏面へ導き出されている端子ケーブル１１０を、接続箱１２０へ接続することにより、同接続箱１２０を通じてパワーコンディショナー１３０に接続される。そして、その上で分電盤１４０を通じて所定の電気系統との接続が行われる。
温室の骨格外周面及び太陽電池アレイ１（モジュール１００）の外面を共通に覆う温室の被覆シート３は、図１に示した本設のシート留め材３、及び上記２種の太陽電池モジュール専用のシート留め材１２Ａ、１２Ｂのシート留め付け部１２ａを利用して張り付けられる。被覆シート３の張り付け作業は、各被覆シート留め付部１２ａたる溝を利用し、弾性な連続波形状の留め線４を使用して周知の手法で行われる。
また、必要に応じて前記被覆シート３のうち、図３及び図４に２点鎖線で示した、太陽電池モジュール１００の上面を覆う部分３’のみを切除して、太陽電池モジュール１００を露出させることも実施される。
【００２８】
以上に本発明を図示した実施例に基づいて説明したが、本発明は、上述した実施の形態に限定されるものではない。当業者が必要に応じて通常行う設計変更や、変形応用等の範囲内で様々に実施することが可能であることを申し添える。
【符号の説明】
【００２９】
１      太陽電池アレイ
１０      太陽電池セル
１００    太陽電池モジュール
１１      モジュール支持材
１１ｂ    垂直壁
１１ｃ    載置板部
１２ａ    被覆シート留め付部
１２ｂ    段差面
１２ｃ      水受け面板部
１２ｄ    導水溝部
１２Ａ    シート留め材
１２Ｂ    シート留め材
３０      シート留め材
３      被覆シート
１３      止水処理
１５      連結具
１５Ａ    連結具本体
１５Ｂ    楔
２０      骨材
４０      排水ソケット
４０ａ    排水継手
４１      排水管
１１０      端子ケーブル
１２０      接続箱
１３０      パワーコンディショナー
１４０      分電盤
【図１】
0006356569.tif 000002
【図２】
0006356569.tif 000003
【図３】
0006356569.tif 000004
【図４】
0006356569.tif 000005
【図５】
0006356569.tif 000006
【図６】
0006356569.tif 000007
【図７】
0006356569.tif 000008